(57)【要約】      （修正有）【課題】タッチ位置を精度よく検出可能な電子機器を提供する。【解決手段】光学式カメラセンサによってタッチ面に対するタッチ位置を検出する電子機器は、３つ以上のカメラセンサと、３つ以上のカメラセンサのうちの一部、かつ、複数のカメラセンサから出力される信号を用いて、タッチ位置を検出する。電子機器は、３つ以上のカメラセンサのうちのタッチ位置の検出に用いられている第１のカメラセンサから出力される信号が、予め定められた基準を満たしていない場合Ｓ６：ＹＥＳ、タッチ位置の検出に用いるカメラセンサの１つを、第１のカメラセンサから、３つ以上のカメラセンサのうちのタッチ位置の検出に用いていない第２のカメラセンサに切り換えるＳ８。【選択図】図６
2018081409.tif 000002
【特許請求の範囲】
【請求項１】
光学式カメラ方式によってタッチ面に対するタッチ位置を検出する電子機器であって、
３つ以上のイメージセンサと、
前記３つ以上のイメージセンサのうちの一部かつ複数のイメージセンサから出力される信号を用いて、前記タッチ位置を検出する検出手段と、
前記３つ以上のイメージセンサのうちの前記タッチ位置の検出に用いられている第１のイメージセンサから出力される信号が、予め定められた基準を満たしていない場合、前記タッチ位置の検出に用いる前記イメージセンサの１つを、前記第１のイメージセンサから、前記３つ以上のイメージセンサのうちの前記タッチ位置の検出に用いていない第２のイメージセンサに切り換える切換手段とを備える、電子機器。
【請求項２】
３つ以上の光学式カメラセンサを備え、
各前記光学式カメラセンサは、１つの前記イメージセンサを有し、
前記検出手段は、前記３つ以上の光学式カメラセンサのうちの一部かつ複数の光学式カメラセンサのイメージセンサから出力される信号を用いて、前記タッチ位置を検出し、
前記切換手段は、前記第１のイメージセンサを有する第１の光学式カメラセンサから出力される信号が、前記予め定められた基準を満たしていない場合、前記タッチ位置の検出に用いる前記光学式カメラセンサの１つを、前記第１の光学式カメラセンサから、前記第２のイメージセンサを有する第２の光学式カメラセンサに切り換える、請求項１に記載の電子機器。
【請求項３】
前記予め定められた基準を満たしているか否かを判定する判定手段をさらに備え、
前記予め定められた基準は、前記信号の強度が予め定められた範囲内であることである、請求項１または２に記載の電子機器。
【請求項４】
前記電子機器は、タッチパネル装置である、請求項１から３のいずれか１項に記載の電子機器。
【請求項５】
表示パネルをさらに備える、請求項１から３のいずれか１項に記載の電子機器。
【請求項６】
前記予め定められた基準を満たしていない場合、前記表示パネルに予め定められた情報を表示させる、請求項５に記載の電子機器。
【請求項７】
ネットワークを介してサーバ装置と通信するための通信インターフェイスをさらに備え、
前記予め定められた基準を満たしていない場合、通信インターフェイスを用いて、前記サーバ装置に予め定められた通知を行う、請求項１から６のいずれか１項に記載の電子機器。
【請求項８】
光学式カメラ方式によってタッチ面に対するタッチ位置を検出する電子機器における制御方法であって、
３つ以上のイメージセンサのうちの一部かつ複数のイメージセンサから出力される信号を用いて、前記タッチ位置を検出するステップと、
前記３つ以上のイメージセンサのうちの前記タッチ位置の検出に用いられている第１のイメージセンサから出力される信号が、予め定められた基準を満たしていない場合、前記タッチ位置の検出に用いる前記イメージセンサの１つを、前記第１のイメージセンサから、前記３つ以上のイメージセンサのうちの前記タッチ位置の検出に用いていない第２のイメージセンサに切り換えるステップとを備える、制御方法。
【発明の詳細な説明】
【技術分野】
【０００１】
本発明は、電子機器および電子機器における制御方法に関する。
【背景技術】
【０００２】
従来、各種のタッチパネル装置が知られている。特許文献１には、光学式カメラ方式のタッチパネル装置を備えた表示装置が開示されている。この表示装置は、表示パネルの少なくとも３つのコーナに光学式カメラセンサが設置されている。
【先行技術文献】
【特許文献】
【０００３】
【特許文献１】特開２０１１−１２９１２９号公報
【発明の概要】
【発明が解決しようとする課題】
【０００４】
しかしながら、特許文献１のタッチパネル装置では、太陽光および照明光等の外乱光に対する対策がなされていない。このため、このタッチパネル装置では、少なくとも１つの光学式カメラセンサに強度の高い外乱光が入射すると、精度の高いタッチ位置の検出が行えない。
【０００５】
また、特許文献１のタッチパネル装置では、光学式カメラセンサの故障等により光学式カメラセンサが異常な信号を出力した場合あるいは信号を出力しなくなった場合には、精度の高いタッチ位置の検出が行えない。
【０００６】
本願発明は、上記の問題点に鑑みなされたものであって、その目的は、タッチ位置を精度よく検出可能な電子機器（タッチパネル装置、表示装置等）および制御方法を提供することにある。
【課題を解決するための手段】
【０００７】
本発明のある局面に従うと、電子機器は、光学式カメラ方式によってタッチ面に対するタッチ位置を検出する。電子機器は、３つ以上のイメージセンサと、３つ以上のイメージセンサのうちの一部かつ複数のイメージセンサから出力される信号を用いて、タッチ位置を検出する検出手段と、３つ以上のイメージセンサのうちのタッチ位置の検出に用いられている第１のイメージセンサから出力される信号が、予め定められた基準を満たしていない場合、タッチ位置の検出に用いるイメージセンサの１つを、第１のイメージセンサから、３つ以上のイメージセンサのうちのタッチ位置の検出に用いていない第２のイメージセンサに切り換える切換手段とを備える。
【０００８】
好ましくは、電子機器は、３つ以上の光学式カメラセンサを備える。各光学式カメラセンサは、１つのイメージセンサを有する。検出手段は、３つ以上の光学式カメラセンサのうちの一部かつ複数の光学式カメラセンサのイメージセンサから出力される信号を用いて、タッチ位置を検出する。切換手段は、第１のイメージセンサを有する第１の光学式カメラセンサから出力される信号が、予め定められた基準を満たしていない場合、タッチ位置の検出に用いる光学式カメラセンサの１つを、第１の光学式カメラセンサから、第２のイメージセンサを有する第２の光学式カメラセンサに切り換える。
【０００９】
好ましくは、電子機器は、予め定められた基準を満たしているか否かを判定する判定手段をさらに備える。予め定められた基準は、信号の強度が予め定められた範囲内であることである。
【００１０】
好ましくは、電子機器は、タッチパネル装置である。
好ましくは、電子機器は、表示パネルをさらに備える。
【００１１】
好ましくは、電子機器は、予め定められた基準を満たしていない場合、表示パネルに予め定められた情報を表示させる。
【００１２】
好ましくは、電子機器は、ネットワークを介してサーバ装置と通信するための通信インターフェイスをさらに備える。電子機器は、予め定められた基準を満たしていない場合、通信インターフェイスを用いて、サーバ装置に予め定められた通知を行う。
【００１３】
本発明のある局面に従うと、制御方法は、光学式カメラ方式によってタッチ面に対するタッチ位置を検出する電子機器において実行される。制御方法は、３つ以上のイメージセンサのうちの一部かつ複数のイメージセンサから出力される信号を用いて、タッチ位置を検出するステップと、３つ以上のイメージセンサのうちのタッチ位置の検出に用いられている第１のイメージセンサから出力される信号が、予め定められた基準を満たしていない場合、タッチ位置の検出に用いるイメージセンサの１つを、第１のイメージセンサから、３つ以上のイメージセンサのうちのタッチ位置の検出に用いていない第２のイメージセンサに切り換えるステップとを備える。
【発明の効果】
【００１４】
上記の発明によれば、タッチ位置を精度よく検出可能となる。
【図面の簡単な説明】
【００１５】
【図１】表示装置の斜視図である。
【図２】タッチパネル装置の斜視図である。
【図３】本体部の斜視図である。
【図４】タッチパネル装置の要部拡大図である。
【図５】表示装置の構成を説明するためのブロック図である。
【図６】表示装置における処理の流れを表したフローチャートである。
【図７】他の表示装置の構成を説明するためのブロック図である。
【図８】他の表示装置の上面図である。
【図９】通信システムの概要を表した図である。
【図１０】管理サーバのハードウェア構成の典型例を表した図である。
【図１１】他の表示装置における処理の流れを表したフローチャートである。
【発明を実施するための形態】
【００１６】
以下、図面を参照しつつ、本発明の各実施の形態について説明する。以下の説明では、同一の部品には同一の符号を付してある。それらの名称および機能も同じである。したがって、それらについての詳細な説明は繰り返さない。
【００１７】
以下の各実施の形態では、タッチ面に対するタッチ位置を検出する電子機器として、光学式カメラ方式のタッチパネル装置を備える表示装置を例に挙げて説明する。しかしながら、これに限定されず、タッチ面に対するタッチ位置を検出する電子機器は、後述する実施の形態２において説明するように、タッチパネル装置そのものであってもよい。
【００１８】
また、タッチ面は、タッチパネル装置が透過性のパネル（たとえば、透明のガラス製またはアクリル製のパネル）を有する構成の場合には、当該パネルの表面である。また、タッチパネル装置が当該パネルを有しない構成の場合には、タッチ面は、画像を表示する表示パネルの表面となる。
【００１９】
なお、光学式カメラ方式としては、たとえば、赤外線を用いる赤外線カメラ方式、可視光を用いるカメラ方式等が挙げられる。赤外線カメラ方式は、赤外線イメージセンサ方式または赤外線光学イメージング方式とも称されている。
［実施の形態１］
図１は、本実施の形態にかかる表示装置１の斜視図である。図１を参照して、表示装置１は、タッチパネル装置１０と、タッチパネル装置１０が取り付けられる本体部２０とを備える。
【００２０】
図２は、タッチパネル装置１０の斜視図である。図２を参照して、タッチパネル装置１０は、ベゼル１０１と、タッチ面１０２と、４つの光学式カメラセンサ１１１，１１２，１１３，１１４と、４つの回帰反射板１２１，１２２，１２３，１２４とを備える。
【００２１】
各光学式カメラセンサ１１１〜１１４は、典型的には、図２に示すように、タッチ面１０２の角部（四隅）に設置されている。しかしながら、これに限定されず、角部以外のタッチ面１０２の端部に各光学式カメラセンサ１１１〜１１４が設置されていてもよい。各光学式カメラセンサ１１１〜１１４の設置位置は、タッチ面１０２へのタッチ位置を検出できる構成であれば、特に限定されない。
【００２２】
回帰反射板１２１〜１２４は、光学式カメラセンサ１１１から出射された光を、光学式カメラセンサ１１１の方向に反射する。また、光学式カメラセンサ１１２から出射された光も、光学式カメラセンサ１１２の方向に反射する。同様に、光学式カメラセンサ１１３，１１４から出射された光も、各々、光学式カメラセンサ１１３，１１４の方向に反射する。このように、回帰反射板１２１〜１２４は、入射した光を、入射方向とは同じ方向（向きは反対）に反射する。
【００２３】
タッチ面１０２は、典型的には、透明のガラス製または透明のアクリル製のパネルで構成される。
【００２４】
なお、回帰反射板（「再帰反射板」とも称される）の代わりに、回帰反射テープを用いてもよい。また、光学式カメラ方式が一例として赤外線カメラ方式の場合には、光学式カメラセンサ１１１，１１２，１１３，１１４は赤外線を出射する。
【００２５】
図３は、本体部２０の斜視図である。図３を参照して、本体部２０は、少なくとも、表示パネル２５１と、表示パネルの駆動回路（図示せず）と、制御基板（図示せず）とを備える。表示パネル２５１は、典型的には、液晶パネルである。
【００２６】
図４は、タッチパネル装置１０の要部拡大図である。詳しくは、図４は、図２に示した破線内の領域Ｐを拡大した図である。図４を参照して、タッチパネル装置１０は、上述したように、ベゼル１０１と、タッチ面１０２と、光学式カメラセンサ１１２と、回帰反射板１２１，１２２とを備える。
【００２７】
光学式カメラセンサ１１２は、発光部としての発光素子１３１と、受光部としてのイメージセンサ（カメラ）１３２とを含む。発光素子１３１は、典型的には、ＬＥＤ（light emitting diode）である。
【００２８】
図５は、表示装置１の構成を説明するためのブロック図である。図５を参照して、表示装置１は、上述したように、タッチパネル装置１０と、本体部２０とを備える。タッチパネル装置１０は、上述したように、４つの光学式カメラセンサ１１１〜１１４を備える。
【００２９】
本体部２０は、表示パネル２５１と、制御部２５２と、記憶部２５３と、通信部２５４とを備える。制御部２５２は、表示制御部２６１と、検出部２６２と、判定部２６３と、切換部２６４とを有する。
【００３０】
制御部２５２は、表示装置１の全体的な動作を制御する。制御部２５２は、記憶部２５３に記憶されているオペレーティングシステムおよび各種のプログラムをプロセッサが実行することにより実現される。記憶部２５３は、ＲＯＭ（Read Only Memory）、ＲＡＭ（Random Access Memory）、フラッシュメモリ等によって構成される。
【００３１】
制御部２５２は、デフォルト状態（初期設定情報）においては、４つの光学式カメラセンサ１１１〜１１４のうち、一例として３つの光学式カメラセンサ１１１〜１１３を動作させる。これにより、３つの光学式カメラセンサ１１１〜１１３の発光素子１３１は、光を出射する。３つの光学式カメラセンサ１１１〜１１３のイメージセンサ１３２は、少なくとも、回帰反射板１２１〜１２４によって反射された反射光を受信する。光学式カメラセンサ１１１〜１１３は、受光した光に基づく信号（検出信号）を、本体部２０の制御部２５２に送信する。
【００３２】
光学式カメラセンサ１１１〜１１３から送信された信号（検出信号）は、制御部２５２内の検出部２６２と判定部２６３とで利用される。
【００３３】
検出部２６２は、デフォルト状態においては、４つの光学式カメラセンサ１１１〜１１４のうちの３つの光学式カメラセンサ１１１〜１１３を用いてタッチ位置を検出する。具体的には、検出部２６２は、３つの光学式カメラセンサ１１１〜１１３のイメージセンサ１３２から出力された信号を用いて、タッチ面１０２へのタッチ位置を検出する。より詳しくは、検出部２６２は、３つのイメージセンサ１３２から出力された信号に基づき、三角測量によってタッチ位置（座標）を算出する。
【００３４】
判定部２６３は、タッチ位置の検出に用いられている３つの光学式カメラセンサから出力される各信号が、予め定められた基準を満たしているか否かを判断する。判定部２６３は、上記デフォルト状態のときには、３つの光学式カメラセンサ１１１〜１１３から出力される各信号が、予め定められた基準を満たしているか否かを判断する。具体的には、判定部２６３は、上記各信号の強度（信号レベル）が予め定められた範囲内にあるか否かを判定する。
【００３５】
切換部２６４は、４つの光学式カメラセンサ１１１〜１１４のうちのタッチ位置の検出に用いられている第１の光学式カメラセンサから出力される信号が、予め定められた基準を満たしていない場合、タッチ位置の検出に用いる光学式カメラセンサの１つを、第１の光学式カメラセンサから、４つの光学式カメラセンサ１１１〜１１４のうちのタッチ位置の検出に用いていない第２の光学式カメラセンサに切り換える。
【００３６】
たとえば、切換部２６４は、光学式カメラセンサ１１３から出力される信号が上記予め定められた基準を満たしていない場合、タッチ位置の検出に用いる光学式カメラセンサの１つを、光学式カメラセンサ１１３から、タッチ位置の検出に用いていない光学式カメラセンサ１１４に切り換える。この場合、切換部２６４は、光学式カメラセンサ１１３の動作を停止させ、光学式カメラセンサ１１４の動作を開始させる制御を行う。
【００３７】
上記のような切換処理によって、表示装置１では、予め定められた範囲内の強度の信号を出力する３つの光学式カメラセンサを用いて、タッチ位置の検出をすることができる。このため、表示装置１では、１つの光学式カメラセンサに強度の高い外乱光が入射した場合であっても、精度の高いタッチ位置の検出を行なうことができる。また、表示装置１では、１つの光学式カメラセンサが故障等により異常な信号を出力した場合あるいは信号を出力しなくなった場合であっても、使用する光学式カメラセンサを切り換えることが可能であるため、精度の高いタッチ位置の検出を行なうことができる。
【００３８】
なお、表示制御部２６１は、表示パネル２５１における表示を制御する。表示制御部２６１は、各種の動画および静止画を表示パネル２５１に表示させる。通信部２５４は、管理サーバ７００との通信するための通信インターフェイスである。表示パネル２５１に表示させる内容については、他の実施の形態において説明する。
【００３９】
図６は、表示装置１における処理の流れを表したフローチャートである。なお、図６の例では、表示装置１は、デフォルト状態において、４つの光学式カメラセンサ１１１〜１１４のうちの３つの光学式カメラセンサ１１１〜１１３を利用してタッチ位置を検出するものとする。
【００４０】
図６を参照して、ステップＳ２において、表示装置１の制御部２５２は、たとえば電源がオンされたタイミング等の所定のタイミングにおいて、タッチパネル装置１０のキャリブレーションを実行する。ステップＳ４において、表示装置１は、３つの光学式カメラセンサ１１１〜１１３を用いてタッチ位置の検出を開始する。
【００４１】
ステップＳ６において、表示装置１は、タッチ位置の検出に用いられている３つの光学式カメラセンサのいずれか１つから出力される信号の強度が、予め定められた基準を満たしているか否かを判断する。
【００４２】
表示装置１は、基準を満たしていないと判断した場合（ステップＳ６においてＹＥＳ）、ステップＳ８において、基準を満たしていない信号を出力した光学式カメラセンサの代わりに、タッチ位置の検出に用いていなかった残りの光学式カメラセンサ（たとえば、光学式カメラセンサ１１４）を用いて、タッチ位置の検出を開始する。表示装置１は、基準を満たしていると判断した場合（ステップＳ６においてＮＯ）、処理をステップＳ６に戻す。
【００４３】
ステップＳ１０において、表示装置１は、表示装置１の電源をオフする指示を受け付けたか否かを判断する。表示装置１は、当該指示を受け付けていないと判断した場合（ステップＳ１０においてＮＯ）、処理をステップＳ６に進める。表示装置１は、当該指示を受け付けたと判断した場合（ステップＳ１０においてＹＥＳ）、一連の処理を終了する。
【００４４】
上記のステップＳ８の処理により、表示装置１では、光学式カメラセンサ１１１，１１２，１１３を用いたタッチ位置の検出と、光学式カメラセンサ１１１，１１２、１１４を用いたタッチ位置の検出と、光学式カメラセンサ１１１，１１３、１１４を用いたタッチ位置の検出と、光学式カメラセンサ１１２，１１３、１１４を用いたタッチ位置の検出とのいずれかが実行されることになる。
【００４５】
＜変形例＞
（１）４つのイメージセンサ１３２のうちの２つのイメージセンサ１３２から出力される信号が上述した基準を満たしていない場合には、残りの２つのイメージセンサ１３２から出力される信号を用いて、タッチ位置を検出するように、表示装置１を構成してもよい。
【００４６】
（２）４つのイメージセンサ１３２のうちの３つ以上のイメージセンサ１３２から出力される信号が上述した基準を満たしていない場合には、タッチ位置を検出するための処理を停止するように、表示装置１を構成してもよい。
【００４７】
（３）光学式カメラセンサの数は、４つに限定されるものではない。光学式カメラセンサを少なくとも３つ以上備える構成であればよい。たとえば、３つの光学式カメラセンサ１１１，１１２，１１３を備えるように表示装置１を構成してもよい。この場合、２つの光学式カメラセンサのイメージセンサから出力される信号を用いて、タッチ位置が検出される。
【００４８】
（４）上記においては、表示装置１が、発光素子１３１とイメージセンサ１３２とを内蔵した光学式カメラセンサ１１１〜１１４を備える構成を例に挙げて説明した。たとえば、図２〜４に示したように、タッチ面１０２（換言すれば、表示パネル２５１）の四隅に光学式カメラセンサ１１１〜１１４を備える構成を例に挙げて説明した。
【００４９】
しかしながら、発光素子１３１とイメージセンサ１３２とは、光学式カメラセンサのような単一の部品ユニット内にパッケージされた構成でなくてもよい。このような構成の場合、発光素子１３１とイメージセンサ１３２とは、単体部品として別々の位置に設置することができる。たとえば、４つの発光素子１３１がそれぞれタッチ面１０２の４隅に設置され、４つのイメージセンサ１３２が、タッチ面１０２の端部であって、かつ発光素子１３１の近傍に設置されるような構成としてもよい。
【００５０】
なお、上記の４つの変形例は、他の実施の形態においても適用できる。
＜まとめ＞
変形例を含めた上記の構成に着目すると、表示装置１は、以下の構成を有すると言える。
【００５１】
（１）表示装置１は、光学式カメラ方式によってタッチ面に対するタッチ位置を検出する。表示装置１は、３つ以上のイメージセンサ１３２を備える。表示装置１は、３つ以上のイメージセンサのうちの一部かつ複数のイメージセンサから出力される信号を用いて、タッチ位置を検出する検出部２６２を備える。表示装置１は、３つ以上のイメージセンサのうちのタッチ位置の検出に用いられている第１のイメージセンサから出力される信号が、予め定められた基準を満たしていない場合、タッチ位置の検出に用いるイメージセンサの１つを、第１のイメージセンサから、３つ以上のイメージセンサのうちのタッチ位置の検出に用いていない第２のイメージセンサに切り換える切換部２６４を備える。
【００５２】
（２）表示装置１は、３つ以上の光学式カメラセンサを備える。表示装置１は、３つ以上の光学式カメラセンサのうちの一部かつ複数の光学式カメラセンサから出力される信号を用いて、タッチ位置を検出する検出部２６２を備える。表示装置１は、３つ以上の光学式カメラセンサのうちのタッチ位置の検出に用いられている第１の光学式カメラセンサから出力される信号が、予め定められた基準を満たしていない場合、タッチ位置の検出に用いる光学式カメラセンサの１つを、第１の光学式カメラセンサから、３つ以上の光学式カメラセンサのうちのタッチ位置の検出に用いていない第２の光学式カメラセンサに切り換える切換部２６４を備える。
【００５３】
（３）表示装置１は、予め定められた基準を満たしているか否かを判定する判定部２６３段をさらに備える。予め定められた基準は、上記信号の強度が予め定められた範囲内であることである。
【００５４】
（４）４つの光学式カメラセンサ１１１〜１１４のうち３つの光学式カメラセンサを用いてタッチ位置を検出する構成に着目すると、以下のとおりである。
【００５５】
表示装置１は、４つの光学式カメラセンサ１１１〜１１４を備える。表示装置１は、４つの光学式カメラセンサ１１１〜１１４のうちの３つの光学式カメラセンサ（たとえば、ある局面において光学式カメラセンサ１１１〜１１３）から出力される信号を用いて、タッチ位置を検出する検出部２６２を備える。表示装置１は、４の光学式カメラセンサ１１１〜１１４のうちのタッチ位置の検出に用いられている第１の光学式カメラセンサ（たとえば、光学式カメラセンサ１１３）から出力される信号が、予め定められた基準を満たしていない場合、タッチ位置の検出に用いる光学式カメラセンサの１つを、第１の光学式カメラセンサから、４つの光学式カメラセンサ１１１〜１１４のうちのタッチ位置の検出に用いていない第２の光学式カメラセンサ（たとえば、光学式カメラセンサ１１４）に切り換える切換部２６４を備える。
［実施の形態２］
実施の形態１においては、三角測量等のタッチ位置の検出処理および光学式カメラセンサの切換処理を本体部２０において実施する構成を説明した。本実施の形態では、これらの検出処理および切換処理をタッチパネル装置１０で実施する構成について説明する。
【００５６】
図７は、表示装置１Ａの構成を説明するためのブロック図である。図７を参照して、表示装置１Ａは、タッチパネル装置１０Ａと、本体部２０Ａとを備える。
【００５７】
タッチパネル装置１０Ａは、４つの光学式カメラセンサ１１１〜１１４と、制御部１５２と、記憶部１５３とを備える。制御部１５２は、検出部１６２と、判定部１６３と、切換部１６４とを有する。
【００５８】
検出部１６２、判定部１６３、および切換部１６４は、それぞれ、実施の形態１で説明した検出部２６２、判定部２６３、切換部２６４と同様の処理を行なう。このため、ここでは、検出部１６２、判定部１６３、および切換部１６４についての説明は繰り返さない。
【００５９】
本体部２０Ａは、表示パネル２５１と、制御部２５２Ａと、記憶部２５３と、通信部２５４とを備える。本体部２０Ａは、制御部２５２Ａを備える点において、制御部２５２を備える実施の形態１の本体部２０とは異なる。
【００６０】
制御部２５２Ａは、表示制御部２６１を備える。タッチパネル装置１０Ａが、検出部１６２と判定部１６３と切換部１６４とを備える構成であるため、制御部２５２Ａは、検出部２６２と判定部２６３と切換部２６４とを有していない。
【００６１】
このような構成によっても、表示装置１Ａは、実施の形態１の表示装置１と同様の効果を奏する。
【００６２】
すなわち、表示装置１Ａでは、１つの光学式カメラセンサに強度の高い外乱光が入射した場合であっても、精度の高いタッチ位置の検出を行なうことができる。また、表示装置１Ａでは、１つの光学式カメラセンサが故障等により異常な信号を出力した場合あるいは信号を出力しなくなった場合であっても、使用する光学式カメラセンサを切り換えることが可能とであるため、精度の高いタッチ位置の検出を行なうことができる。
【００６３】
＜まとめ＞
実施の形態１で述べた変形例を考慮すると、タッチパネル装置１０Ａは以下の構成を有すると言える。
【００６４】
（１）タッチパネル装置１０Ａは、光学式カメラ方式によってタッチ面に対するタッチ位置を検出する。タッチパネル装置１０Ａは、３つ以上のイメージセンサ１３２を備える。タッチパネル装置１０Ａは、３つ以上のイメージセンサのうちの一部かつ複数のイメージセンサから出力される信号を用いて、タッチ位置を検出する検出部１６２を備える。タッチパネル装置１０Ａは、３つ以上のイメージセンサのうちのタッチ位置の検出に用いられている第１のイメージセンサから出力される信号が、予め定められた基準を満たしていない場合、タッチ位置の検出に用いるイメージセンサの１つを、第１のイメージセンサから、３つ以上のイメージセンサのうちのタッチ位置の検出に用いていない第２のイメージセンサに切り換える切換部１６４を備える。
【００６５】
（２）タッチパネル装置１０Ａは、３つ以上の光学式カメラセンサを備える。タッチパネル装置１０Ａは、３つ以上の光学式カメラセンサのうちの一部かつ複数の光学式カメラセンサから出力される信号を用いて、タッチ位置を検出する検出部１６２を備える。タッチパネル装置１０Ａは、３つ以上の光学式カメラセンサのうちのタッチ位置の検出に用いられている第１の光学式カメラセンサから出力される信号が、予め定められた基準を満たしていない場合、タッチ位置の検出に用いる光学式カメラセンサの１つを、第１の光学式カメラセンサから、３つ以上の光学式カメラセンサのうちのタッチ位置の検出に用いていない第２の光学式カメラセンサに切り換える切換部１６４を備える。
［実施の形態３］
本実施の形態に係る表示装置は、実施の形態１，２と同様に、３つ以上のイメージセンサのうちの一部かつ複数のイメージセンサから出力される信号を用いて、タッチ位置を検出する。
【００６６】
当該表示装置は、タッチ位置の検出に用いられているイメージセンサから出力される信号が上述した予め定められた基準を満たしていない場合、表示パネル２５１に予め定められた情報を表示する。たとえば、表示装置が警告表示を行うことにより、表示装置を視認しているユーザは、表示装置で生じている問題点について把握することができる。
【００６７】
また、本実施の形態に係る表示装置は、表示装置１，１Ａと同様に、タッチ位置の検出に用いられているイメージセンサから出力される信号が上述した予め定められた基準を満たしていない場合には、タッチ位置の検出に使用するイメージセンサまたは光学式カメラセンサ）を切り換える構成であってもよい。
【００６８】
あるいは、表示装置は、表示装置の設置位置の調整をユーザに促す表示を行ってもよい。この場合にも、ユーザが設置位置を変更する動作を行なうことにより、精度の高いタッチ位置の検出が可能となる。
［実施の形態４］
本実施の形態に係る表示装置は、実施の形態１，２と同様に、３つ以上のイメージセンサのうちの一部かつ複数のイメージセンサから出力される信号を用いて、タッチ位置を検出する。
【００６９】
当該表示装置は、タッチ位置の検出に用いられているイメージセンサから出力される信号が上記予め定められた基準を満たしていない場合、通信部を用いて、管理サーバ７００に予め定められた通知を行う。このような構成によれば、表示装置の管理者は、表示装置で生じている問題点について把握することができる。
【００７０】
また、本実施の形態に係る表示装置は、表示装置１，１Ａと同様に、タッチ位置の検出に用いられているイメージセンサから出力される信号が上述した予め定められた基準を満たしていない場合には、タッチ位置の検出に使用するイメージセンサまたは光学式カメラセンサを切り換える構成であってもよい。
［実施の形態５］
本実施の形態に係る表示装置は、２つ以上の光学式カメラセンサを備えている。当該表示装置は、全ての光学式カメラセンサから出力される信号を用いて、タッチ位置を検出する。さらに、当該表示装置は、自動的に首を振る首振り機能（スイーベル機能、オートターン機能）を有する。
【００７１】
図８は、本実施の形態に係る表示装置１Ｂの上面図である。図８を参照して、状態（Ａ）は、首を振っていない状態を表している。状態（Ｂ）は、首を一方の向きに振った状態を表している。
【００７２】
表示装置１Ｂは、首振り機構８００を備える。首振り機構８００は、壁面９００に表示装置１Ｂを固定する台座８２０と、台座８２０と表示装置１Ｂの本体部２０とを固定し、かつ台座８２０に対して回転軸ＡＸを中心に回転可能な回転部材８１０とを備える。
【００７３】
表示装置１Ｂは、少なくとも１つのイメージセンサから出力される信号が上記予め定められた基準を満たしていない場合、首振り機構８００によって、タッチパネル装置１０および本体部２０の向きを変える。表示装置１Ｂは、全てのイメージセンサから出力される信号が上記予め定められた基準を満たすようになると、首振りを停止する。
【００７４】
このような構成の表示装置１Ｂによれば、光学式カメラセンサに強度の高い外乱光が入射した場合であっても、精度の高いタッチ位置の検出を行なうことができる。
【００７５】
なお、本実施の形態に係る表示装置は、首振り機能（スイーベル機能）の代わりに、自動的にチルトするチルト機能を有する構成としてもよい。この場合にも、スイーベル機能を有する構成と同様に、精度の高いタッチ位置の検出を行なうことができる。
［実施の形態６］
本実施の形態では、複数の表示装置を備える通信システムにおける処理について説明する。本実施の形態に係る表示装置は、２つ以上の光学式カメラセンサを備えている。当該表示装置は、全ての光学式カメラセンサから出力される信号を用いて、タッチ位置を検出する。ただし、当該表示装置は、実施の形態１，２等とは異なり、タッチ位置の検出に使用する光学式カメラセンサを切り換える処理を行なわない。
【００７６】
図９は、通信システム１０００の概要を表した図である。図９を参照して、通信システム１０００は、複数の表示装置１Ｃと、管理サーバ７００とを備える。複数の表示装置１Ｃは、ネットワークを介して、管理サーバ７００に接続されている。
【００７７】
各表示装置１は、全てのイメージセンサから出力された信号の強度に関する情報を、自身の識別情報に関連付けて、管理サーバ７００に送信する。
【００７８】
本実施の形態における管理サーバ７００は、各表示装置１から送信された情報に基づき、異常な状態の表示装置１の有無を判断する。典型的には、管理サーバ７００は、予め定められた範囲外の強度の信号を出力した表示装置１Ｃを異常と判断する。このような構成によれば、通信システム１０００の管理者は、異常な状態の表示装置１Ｃを把握することが可能となる。それゆえ、表示装置１Ｃの交換または修理を迅速に行うことが可能となる。
【００７９】
さらに、信号の強度に関する情報は、光学式カメラセンサの識別情報とともに、管理サーバ７００に送信されるように、通信システム１０００を構成してもよい。この場合には、管理サーバ７００は、異常と判断された表示装置１Ｃにおいて、どの光学式カメラセンサが異常であるかを判断できる。
【００８０】
図１０は、管理サーバ７００のハードウェア構成の典型例を表した図である。図１０を参照して、管理サーバ７００は、主たる構成要素として、プログラムを実行するＣＰＵ７５１と、データを不揮発的に格納するＲＯＭ７５２と、ＣＰＵ７５１によるプログラムの実行により生成されたデータ、又は入力装置を介して入力されたデータを揮発的に格納するＲＡＭ７５３と、データを不揮発的に格納するＨＤＤ７５４と、ＬＥＤ７５５と、スイッチ７５６と、通信ＩＦ（Interface）７５７と、電源回路７５８と、ディスプレイ７５９と、操作キー７６０とを含む。各構成要素は、相互にデータバスによって接続されている。
【００８１】
電源回路７５８は、コンセントを介して受信した商用電源の電圧を降圧し、管理サーバ７００の各部に電源供給を行なう回路である。スイッチ７５６は、電源回路７５８に給電を行なうか否かを切替えるための主電源用のスイッチ、およびその他の各種の押しボタンスイッチである。ディスプレイ７５９は、各種のデータを表示するためのデバイスである。
【００８２】
通信ＩＦ７５７は、表示装置１Ｃ等の通信機器との通信を行なためのインターフェイスである。
【００８３】
ＬＥＤ７５５は、管理サーバ７００の動作状態を表す各種の表示ランプである。たとえば、ＬＥＤ７５５は、管理サーバ７００の主電源のオンまたはオフ状態、およびＨＤＤ７５４への読み出しまたは書き込み状態等を表す。操作キー７６０は、管理サーバ７００のユーザが管理サーバ７００へデータを入力するための用いるキー（キーボード）である。
【００８４】
管理サーバ７００における処理は、各ハードウェアおよびＣＰＵ７５１により実行されるソフトウェアによって実現される。このようなソフトウェアは、ＨＤＤ７５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ７５７等を介してダウンロードされた後、ＨＤＤ７５４に一旦格納される。そのソフトウェアは、ＣＰＵ７５１によってＨＤＤ７５４から読み出され、ＲＡＭ７５３に実行可能なプログラムの形式で格納される。ＣＰＵ７５１は、そのプログラムを実行する。
【００８５】
同図に示される管理サーバ７００を構成する各構成要素は、一般的なものである。したがって、本発明の本質的な部分は、ＲＡＭ７５３、ＨＤＤ７５４、記憶媒体に格納されたソフトウェア、あるいはネットワークを介してダウンロード可能なソフトウェアであるともいえる。なお、管理サーバ７００の各ハードウェアの動作は周知であるので、詳細な説明は繰り返さない。
【００８６】
なお、記録媒体としては、ＤＶＤ−ＲＡＭに限られず、ＤＶＤ-ＲＯＭ、ＣＤ−ＲＯＭ、ＦＤ、ハードディスク、磁気テープ、カセットテープ、光ディスク、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
［実施の形態７］
本実施の形態に係る表示装置は、表示装置１，１Ａと同様に、４つの光学式カメラセンサ１１１〜１１４を備えている。また、本実施の形態にかかる表示装置（以下、「表示装置１Ｄ」と称する）は、表示装置１，１Ａと同様に、３つの光学式カメラセンサを用いて、タッチ位置の検出を行う。なお、表示装置１Ｄは、表示装置１，１Ａと同様のハードウェア構成を有するため、ここでは表示装置１Ｄのハードウェア構成を繰り返し説明しない。
【００８７】
表示装置１，１Ａは、イメージセンサ１３２から出力される信号が異常と判断された場合、タッチ位置の検出に使用する光学式カメラセンサを切り換える。本実施の形態に係る表示装置１Ｄは、表示装置１，１Ａとは異なり、イメージセンサ１３２から出力される信号が異常と判断されたことをトリガに光学式カメラセンサを切り換えない。表示装置１Ｄは、時刻に応じて、タッチ位置の検出に使用する光学式カメラセンサを切り換える。
【００８８】
図１１は、表示装置１Ｄにおける処理の流れを表したフローチャートである。なお、図１１の例では、表示装置１Ｄは、デフォルト状態において、４つの光学式カメラセンサ１１１〜１１４のうちの３つの光学式カメラセンサ１１１〜１１３を利用してタッチ位置を検出するものとする。
【００８９】
図１１を参照して、ステップＳ１０２において、表示装置１Ｄは、たとえば電源がオンされたタイミング等の所定のタイミングにおいて、タッチパネル装置１０のキャリブレーションを実行する。ステップＳ１０４において、表示装置１Ｄは、３つの光学式カメラセンサ１１１〜１１３を用いてタッチ位置の検出を開始する。
【００９０】
ステップＳ１０６において、表示装置１Ｄは、現在の時刻が時刻Ｔａになったか否かを判断する。表示装置１Ｄは、時刻Ｔａになったと判断した場合（ステップＳ１０６においてＹＥＳ）、ステップＳ１０８において、予め定められた３つの光学式カメラセンサ１１１，１１２，１１４を用いて、タッチ位置の検出を開始する。表示装置１Ｄは、時刻Ｔａになっていないと判断された場合（ステップＳ１０６においてＮＯ）、処理をステップＳ１０６に戻す。
【００９１】
ステップＳ１１０において、表示装置１Ｄは、現在の時刻が時刻Ｔｂになったか否かを判断する。表示装置１Ｄは、時刻Ｔｂになったと判断した場合（ステップＳ１１０においてＹＥＳ）、ステップＳ１１２において、予め定められた３つの光学式カメラセンサ１１１，１１２，１１３を用いて、タッチ位置の検出を開始する。表示装置１Ｄは、時刻Ｔｂになっていないと判断された場合（ステップＳ１１０においてＮＯ）、処理をステップＳ１１０に戻す。なお、時刻Ｔａ，Ｔｂは、表示装置１Ｄのユーザによって設定される。
【００９２】
ステップＳ１１４において、表示装置１Ｄは、表示装置１Ｄの電源をオフする指示を受け付けたか否かを判断する。表示装置１Ｄは、当該指示を受け付けていないと判断した場合（ステップＳ１１４においてＮＯ）、処理をステップＳ１０６に進める。表示装置１Ｄ、当該指示を受け付けたと判断した場合（ステップＳ１１４においてＹＥＳ）、一連の処理を終了する。
【００９３】
なお、上記においては、時刻Ｔａになると光学式カメラセンサ１１１，１１２，１１４を用いてタッチ位置を検出する例を挙げて説明したが、これは一例であって、これに限定されるものではない。時刻Ｔａになると、時刻Ｔａまでに使用していた３つの光学式カメラセンサの組み合わせとは異なる組み合わせの３つの光学式カメラセンサを使用してタッチ位置を検出する構成であればよい。
【００９４】
また、図１１では、タッチ位置の検出に使用する光学式カメラセンサの組み合わせが、時刻Ｔａで変更され、時刻Ｔｂで元に戻る構成を例に挙げたが、これに限定されるものではない。たとえば、時刻Ｔａで変更された後、時刻Ｔａよりも後で時刻Ｔｂよりも先の時刻Ｔｃでさらに別の組み合わせに変更され、時刻Ｔｃで元に戻る構成としてもよい。表示装置１Ｄでは、組み合わせの変更回数および変更時刻は適宜、ユーザが設定可能である。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９６】
１，１Ａ，１Ｂ，１Ｃ，１Ｄ  表示装置、１０，１０Ａ  タッチパネル装置、２０，２０Ａ  本体部、１０１  ベゼル、１０２  タッチ面、１１１，１１２，１１３，１１４  光学式カメラセンサ、１２１，１２２，１２３，１２４  回帰反射板、１３１  発光素子、１３２  イメージセンサ、１５２，２５２，２５２Ａ  制御部、１６２，２６２  検出部、１６３，２６３  判定部、１６４，２６４  切換部、２５１  表示パネル、２５４  通信部、２６１  表示制御部、７００  管理サーバ、８００  首振り機構、８１０  回転部材、８２０  台座、９００  壁面、１０００  通信システム、ＡＸ  回転軸。
【図１】
2018081409.tif 000003
【図２】
2018081409.tif 000004
【図３】
2018081409.tif 000005
【図４】
2018081409.tif 000006
【図５】
2018081409.tif 000007
【図６】
2018081409.tif 000008
【図７】
2018081409.tif 000009
【図８】
2018081409.tif 000010
【図９】
2018081409.tif 000011
【図１０】
2018081409.tif 000012
【図１１】
2018081409.tif 000013